(57)【特許請求の範囲】
【請求項１】
処理槽内に形成された嫌気性の生物汚泥床に有機性廃水を上向流で通して前記廃水中の有機物を処理すると共に、前記処理により発生したガスを前記処理槽外に排気する上向流式嫌気処理装置に於いて、
前記処理槽内の上部を、処理水排出路と前記ガスの溜まる空間を有するガス捕集部とに縦方向に仕切り、前記処理水排出路と前記ガス捕集部との下端が水中で連通する区画部材と、
前記処理槽外に設けられ、前記ガス捕集部の空間に溜まったガスの排気圧力を調整して前記空間内のガス圧を変化させることによりガス捕集部の水位を調整すると共に、前記ガス捕集部の水位の調整に連動させて前記処理水排出路の水位を調整する水位調整手段と、から成り、
前記水位調整手段で前記処理水排出路の水位を下げた時の水位下降力により、前記処理水排出路に堆積した汚泥を、前記処理水排出路の下端から前記生物汚泥床に落下沈降させることを特徴とする上向流式嫌気処理装置。
【請求項２】
前記水位調整手段は、
前記処理槽外に設けられ、前記処理槽から排出されたガスが送られる水槽と、
一端が前記ガス捕集部の空間に連通されると共に、他端が前記水槽内の水中に異なる水深になるように位置された２本以上の連通管と、
前記各連通管に設けられた弁部材と、から成ることを特徴とする請求項１の上向流式嫌気処理装置。
【請求項３】
前記処理水排出路に前記上向流により同伴された汚泥を捕捉する濾材層を設けたことを特徴とする請求項１の上向流式嫌気処理装置。
【請求項４】
前記ガス捕集部の液面に浮遊するスカムを除去するスカム除去手段を設けたことを特徴とする請求項１の上向流式嫌気処理装置。
【発明の詳細な説明】
【０００１】
【発明の属する技術分野】
本発明は上向流式嫌気処理装置に係り、特に、有機性廃水を生物汚泥床に通して処理する時にガスが発生する上向流式嫌気処理装置に関する。
【０００２】
【従来の技術】
近年、有機性廃水の嫌気性処理法は、有機性廃水がメタンガス等のエネルギーガスの回収を行なうことができる処理方法として注目されている。
この種の上向流式嫌気処理装置にあっては、生物汚泥床を一定高さのブランケット状態に保持すると共に、処理水に同伴されて処理槽の液面に浮上した生物汚泥床の一部の汚泥を装置外に流出させずに再び生物汚泥床に戻すことが重要となる。生物汚泥が装置外に流出されると、生物汚泥床の汚泥量が減るために処理能力が低下してしまうという問題がある。更には、汚泥が処理水に同伴されると、処理水の水質を悪化させることになり好ましくない。
【０００３】
この対策として、従来は、例えば、特開平１─２４２１９７号公報や、実開平６─１９９００号公報に記載されたものがある。
特開平１─２４２１９７号公報のものは、処理槽内の生物汚泥床の上方に、上側が順次縮径されるように形成されたガス汚泥分離器を設け、上向流に同伴して上昇した汚泥をガス汚泥分離器に衝突させると共に、阻流板で上向流を下向きを反転させるようにしたものである。
【０００４】
また、実開平６─１９９００号公報のものは、処理槽内の生物汚泥床の上方に、汚泥衝突部材を有する三相分離装置を設け、上向流に同伴して上昇した汚泥を汚泥衝突部材に衝突させることにより汚泥に付着する気泡を分離して汚泥が沈降し易くしたものである。
【０００５】
【発明が解決しようとする課題】
しかしながら、従来のように、ガス汚泥分離器、或いは汚泥衝突部材を設けても、上向流に同伴して処理槽内を上昇した汚泥が処理槽の上部、特に処理水をトラフに導く排出部に堆積してしまうために、根本的な解決にはならないという欠点がある。
【０００６】
また、生物汚泥床でのガス生成活性の増加と共に活発にガスが発生し、処理水の上向流に加えて、発生したガスの攪拌作用により生物汚泥が舞い上がるため、汚泥の自重沈降だけでは汚泥の流出防止を行うことはできない。
本発明はこのような事情に鑑みてなされたもので、生物汚泥床から上向流に同伴して処理槽内を上昇し処理水排出路に堆積される一部の汚泥を、確実に生物汚泥床に戻すことのできる上向流式嫌気処理装置を提供することを目的とする。
【０００７】
【課題を解決する為の手段】
本発明は前記目的を達成する為に、処理槽内に形成された嫌気性の生物汚泥床に有機性廃水を上向流で通して前記廃水中の有機物を処理すると共に、前記処理により発生したガスを前記処理槽外に排気する上向流式嫌気処理装置に於いて、前記処理槽内の上部を、処理水排出路と前記ガスの溜まる空間を有するガス捕集部とに縦方向に仕切り、前記処理水排出路と前記ガス捕集部との下端が水中で連通する区画部材と、前記処理槽外に設けられ、前記ガス捕集部の空間に溜まったガスの排気圧力を調整して前記空間内のガス圧を変化させることによりガス捕集部の水位を調整すると共に、前記ガス捕集部の水位の調整に連動させて前記処理水排出路の水位を調整する水位調整手段と、から成り、前記水位調整手段で前記処理水排出路の水位を下げた時の水位下降力により、前記処理水排出路に堆積する汚泥を、前記処理水排出路の下端から前記生物汚泥床に落下沈降させることを特徴とする。
【０００８】
本発明によれば、処理槽の上部を、区画部材で処理水排出路と前記ガスの溜まる空間を有するガス捕集部とに縦方向に仕切って区画すると共に、前記処理水排出路と前記ガス捕集部との下端を水中で連通させるようにし、処理水排出路に汚泥が堆積されたら、処理槽で発生するガスの圧力を利用した水位調整手段により処理水排出路の水位を下げる。この水位を下げる時の水位下降力により前記堆積した汚泥を前記処理水排出路の下端から前記生物汚泥床に落下沈降させるようにした。
【０００９】
【発明の実施の形態】
以下添付図面に従って本発明に係る上向流式嫌気処理装置の好ましい実施の形態について詳説する。
図１は、本発明に係る上向流式嫌気処理装置１０の第１の実施の形態を説明する縦断面図である。
【００１０】
上向流式嫌気処理装置１０は、主として、原水である有機性廃水が上向流で供給される処理槽１２と、処理槽１２内の下部に形成されて有機性廃水中の有機物と反応して有機物を処理する生物汚泥床と、処理槽１２内の上部を処理水排出路１６と前記処理により生成されたガスを溜める空間１８を有するガス捕集部２０とに区画する区画部材２２と、処理槽１２外に設けられて処理水排出路１６の水位を調整する水位調整装置２４と、から構成される。
【００１１】
処理槽１２は、上面のみが開放された筒状に形成され、その床面に原水供給管２６が配設されると共に、原水供給管２６には原水供給ポンプ２８が設けられる。これにより、原水供給管２６により処理槽１２内に供給された有機性廃水は、処理槽１２を上向流となって上昇する。処理槽１２内の下部には、一定高さの生物汚泥床が形成されている。また、処理槽１２の上部内周には処理水が越流する樋状のトラフ３０が設けられ、トラフ３０に越流する処理水は処理水配管３１により処理槽１２外に排出される。
【００１２】
区画部材２２は、処理槽１２の径よりも小さく且つ下端のみが開放された筒状に形成され、筒状の下部がラッパ管状に拡径している。そして、この区画部材２２の略下半分程度が処理槽１２内に貯留された廃水の水面下に水没されるように配設される。これにより、処理槽１２内の上部には、処理槽１２の側壁１２Ａと区画部材２２とで形成される環状の処理水排出路１６が形成され、生物汚泥床で処理された処理水は処理水排出路１６を通ってトラフ３０に越流する。また、区画部材２２内の上部には生物汚泥床で発生したガスを溜める空間１８を有するガス捕集部２０が形成される。
【００１３】
水位調整装置２４は処理槽１２外に設けられ、主として、処理槽１２から排出されたガスが送られる水槽３４と、一端がガス捕集部２０の空間１８に連通されると共に、他端が水槽３４内の水中に位置された第１の連通管３６及び第２の連通管３８から成る２本の連通管３６、３８と、２本の連通管３６、３８に設けられて連通の開閉を行なう開閉弁４０、４２と、から構成される。第１及び第２の連通管３６、３８を、図１では１本の連通管を途中から分岐させた場合で示したが、それぞれ独立した連通管でガス捕集部２０の空間１８と水槽３４とを連通してもよい。
【００１４】
そして、第１の連通管３６と第２の連通管３８とは、水深差ｈを有して水槽３４内に位置している。これにより、ガス捕集部２０の空間１８と水槽３４との間で、第１連通管３６のみを連通させた場合には、第２の連通管３８のみを連通させた場合よりも水深差ｈに相当する水圧が第１の連通管３６にかかるため、ガスが流れにくくなる。従って、ガス捕集部２０の空間１８圧力が上昇し、ガス捕集部２０の水面を水深差ｈに相当する圧力分だけ押し下げる。この時のガス捕集部２０の水位を図中Ａで示す。
【００１５】
逆に、第１の連通管３６のみを連通した状態から第２の連通管３８のみを連通させた状態に切り換えた場合には、ガス捕集部２０の空間１８の圧力が低下し、ガス捕集部２０の水面を水深差ｈに相当する圧力分だけ上昇させる。この時のガス捕集部２０の水位を図中Ｂで示す。そして、ガス捕集部２０と処理水排出路１６とはＵ字管状に連通しているので、ガス捕集部２０の水面が水位Ａまで下がった時、処理水排出路１６の水面は水位Ｃで示す位置まで上昇し、ガス捕集部２０の水面が水位Ｂまで上がった時、処理水排出路１６が水位Ｄまで下がる。
【００１６】
そして、水深差ｈは、ガス捕集部２０の水面が下がった状態の時、即ち、処理水排出路１６の水面が上がった状態において、処理水排出路１６の上端からトラフ３０に処理水が越流するように設定される。
また、処理槽１２内の内周で処理水排出路１６の下方には、断面三角状の衝突板４４が設けられる。この衝突板４４は、処理槽１２内を上昇したガスがガス捕集部２０側に進路を変えるようにし、ガスが処理水排出路１６に進入しにくくする作用を行なう。更に、処理水に同伴して処理水排出路１６に進入しようとする汚泥を衝突させて汚泥からガスを分離させることにより沈降し易くする作用を行なう。
【００１７】
尚、水槽３４に送られたガスは、例えばガスタンクのような貯留タンクに送られて貯留される。
次に、上記の如く構成された上向流式嫌気処理装置１０の第１の実施の形態の作用について説明する。
第１の連通管３６の開閉弁４０を開にして、第２の連通管３８の開閉弁４２を閉にした状態で上向流式嫌気処理装置１０の運転を開始する。有機性廃水は、原水供給配管２６から処理槽１２の底部に上向流として供給される。処理槽１２に供給された有機性廃水は、生物汚泥床において生物汚泥と反応して廃水中の有機物が分解されると共に、有機物の分解によりガスを発生する。生物汚泥床で有機物の分解処理がなされた処理水は、ガスと生物汚泥床中の一部の生物汚泥を同伴して処理槽１２内を上昇し、処理水排出路１６を通ってトラフ３０に越流される。一方、生物汚泥床で発生したガスは処理槽１２内を上昇してガス捕集部２０の空間１８に捕集される。この時、ガス捕集部２０の空間１８と水槽３４との間では第１の連通管３６のみが連通しているので、ガス捕集部２０の空間圧力が上昇し、ガス捕集部２０の水面が水位Ａの下がった状態になる。これにより、処理水排出路１６の水位がＣとなるので、処理水排出路１６の処理水はトラフ３０に越流する。
【００１８】
上向流式嫌気処理装置１０の運転を継続すると、処理水排出路１６の下部には、処理水に同伴された生物汚泥床の一部の汚泥が堆積し、堆積界面が上昇するとトラフ３０より堆積汚泥が処理水と共に流出する。
そこで、本発明では、処理水排出路１６に汚泥がある程度堆積したら、或いはタイマー等により定期的に、第２の連通管３８の弁４２を開にする。この場合、第１の連通管３６は常時開にしておく。これにより、ガス捕集部２０の空間圧力が低下してガス捕集部２０の水位がＡからＢまで上昇し、これに連動して処理水排出路１６の水位がＣからＤまで下降する。この水位がＣからＤまで下降する時の水位下降力により処理水排出路１６に堆積した汚泥に沈降力が付与される。この結果、処理水排出路１６に堆積された汚泥は、処理水排出路１６から落下して処理槽内の生物汚泥床まで返送される。
【００１９】
次に、第２の連通管３８の弁４２を開にすると、ガス捕集部２０の水位は反応槽１２内で発生するガスにより徐々に圧力が増加し、水位ＢからＡへある時間をかけて低下し、Ａまで低下すると処理水の流出が再開する。
次に、本発明の上向流式嫌気処理装置の第２の実施の形態から第６の実施の実施の形態までを説明すると共に、第１の実施の形態と同じ装置や部材は同符号を付して説明は省略する。
【００２０】
図２は、本発明の第２の実施の形態を説明する上向流式嫌気処理装置１０の断面図である。
図２に示すように、第２の実施の形態は、第１の実施の形態で説明した上向流式嫌気処理装置１０の処理水排出路１６に濾材層４６を設けたものである。この濾材層４６は、固定式のものでも、或いは水中に浮上濾材を用いた浮上濾材層でもよい。浮上濾材を使用する場合には、浮上濾材層の上側に金網等の支持部材を配設させることが必要である。
【００２１】
本発明の第２の実施の形態によれば、処理水排出路１６に堆積された汚泥が処理水に同伴して処理水排出路１６から流出しないように濾材層４６で確実に捕捉することができる。また、処理水排出路１６の水位を下降させた時に、処理水排出路１６中の処理水が濾材層４６を逆流（濾過する時とは逆の流れ）するので、濾材層４６の洗浄を自動的に行なうことができる。この濾材層４６の洗浄において、濾材層４６を浮上濾材で構成すると、処理水の逆流時に浮上濾材が不規則に移動するので、濾材同士が接触等により洗浄効果がより大きくなる。
【００２２】
図３は、本発明の第３の実施の形態を説明する上向流式嫌気処理装置１０の断面図である。
図３に示すように、第３の実施の形態は、第１の実施の形態で説明した２本の連通管３６、３８に更に開閉弁４７付きの第３の連通管４８を設けて３本の連通管３６、３８、４８とし、ガス捕集部２０の水位を、Ａ、Ｂ、Ｅの３段階に可変できるようにしたものである。また、水位Ｂと水位Ｅの間に、上面が開口した漏斗状のスカム捕集器５０を設け、処理槽１２外でスカム捕集器５０よりも低い位置に設けたスカム貯留槽５２とをスカム排出管５４で連通させた。
【００２３】
そして、３本の連通管３６、３８、４８の水深差を、水深の一番大きな第１の連通管３６と２番目の第２の連通管３８との水深差ｈ2 、第２の連通管３８と水深の一番小さな第３の連通管４８の水深差ｈ1 、第１の連通管３６と第３の連通管４８の水深差ｈ0 （ｈ0 ＝ｈ1 ＋ｈ2 ）とした。これにより、各連通管３６、３８、４８とガス捕集部２０及び処理水排出路１６の水位との関係は、第１の連通管３６のみを連通させた時のガス捕集部２０の水位は一番低いＡで、処理水排出路１６の水位は一番高く処理水がトラフに越流する水位Ｃとなる。同様に、第２の連通管３８のみを連通させた時のガス捕集部２０の水位はＢで、処理水排出路１６の水位がＤとなり、第３の連通管４８のみを連通させた時のガス捕集部２０の水位はＥで、処理水排出路１６の水位がＦとなる。
【００２４】
尚、図３では第２の実施の形態で説明した濾材層４６を記載しなかったが、濾材層４６を設けてもよい。
本発明の第３の実施の形態によれば、第１の連通管３６のみを連通させてガス捕集部２０の水位がＡ状態で運転を開始し、処理水排出路１６に汚泥が堆積したら第２の連通管３８のみを連通させて処理水排出路１６の水位をＣからＤに下降させて汚泥を落下させる。そして、ガス捕集部２０の水面にスカム（浮遊性の汚泥）多く浮遊するようになったら、第３の連通管４８のみを連通させてガス捕集部２０の水位をＥまで上昇させる。これにより、スカム捕集器５０が水没して水面に浮遊しているスカムを含む水がスカム捕集器５０内に流入する。これにより、ガスの捕集に悪影響を及ぼすと共に、処理水の水質を悪化させるスカムを除去することができる。
【００２５】
図４は、本発明の第４の実施の形態を説明する上向流式嫌気処理装置１０の断面図である。
図４に示すように、第４の実施の形態は、第１の実施の形態で説明した上向流式嫌気処理装置１０の処理水排出路１６の上端を密閉状態にしたものである。即ち、処理水排出路１６の空間５６と水槽３４の空間５８とを開閉弁６０を備えた送気管６２で連通させると共に、トラフ３０をＵ字管状にしてＵ字管の一端が処理水排出路１６側に、他端が大気側に開放されるようにした。また、トラフ３０の外側に補助トラフ６０を設けて補助トラフ６０に処理水配管３１を連通させるようにした。これにより、トラフ３０の水で処理水排出路１６の空間５６を水封して処理水排出路１６の処理水排出側を大気から遮断する。処理水はトラフ３０から補助トラフ６０に越流してから処理水配管３１を介して処理槽１２外に排出される。
【００２６】
第４の実施の形態によれば、処理水排出路１６に進入する一部のガスを大気に放出することなく水槽３４に送気することができるので、環境の悪化を防止でき、更にはガスの有効利用の促進を図ることができる。
図５は、第４の実施の形態の変形例であり、送気管６２の水槽３４側の端部を第２の連通管３８と同じ水深に位置させると共に、第２の連通管３８に弁６４を設けるようにしたものである。また、処理水排出路１６の上部をＵ字管状にしてＵ字管の一方端が処理水排出路１６の送気管６２に連通し、他方端が大気に開放されるようにした。これにより、処理水排出路１６の空間５６は処理水排出路１６の水により水封される。この場合、トラフ３０は処理水排出路１６の大気側の外側に設けられる。
【００２７】
この変形例によれば、運転開始時は、常時開になっている第１の連通管３６によりガス捕集部２０と水槽３４との間が連通させる。これにより、第１の連通管３６と送気管６２との水深差ｈによりガス捕集部２０の空間１８の圧力が処理水排出路１６の空間５６の圧力よりも大きくなるので、ガス捕集部２０の水位はＡまで押し下げられる。従って、処理水排出路１６の水位はＣとなり処理水がトラフ３０に越流する。そして、処理水排出路１６に堆積した汚泥を落下させる場合には、第２の連通管３８の弁６４を開にしてガス捕集部２０と水槽３４との間を連通させる。これにより、第２の連通管３８と送気管６２との水深差がなくなるので、ガス捕集部２０の空間１８の圧力と処理水排出路１６の空間５６の圧力が同じになり、ガス捕集部２０の水位がＢまで上昇する。この上昇に連動して処理水排出路１６の水位がＣからＤまで下降するので、堆積された汚泥が落下する。その後、第２の連通管３８の弁６４を閉とすると反応槽１２内で発生するガスにより徐々に圧力が増加し、水位ＢからＡにある時間をかけて低下し、Ａまで低下すると再び処理水の越流が開始される。
【００２８】
図６は、本発明の第５の実施の形態を説明する上向流式嫌気処理装置１０の断面図で、第２の実施の形態と第４の実施の形態を組み合わせたものである。従って、第５の実施の形態によれば、第２及び第４の実施の形態で説明した両方の効果を得ることができる。
図７は、本発明の第６の実施の形態を説明する上向流式嫌気処理装置１０の断面図で、第３の実施の形態と第４の実施の形態を組み合わせたものである。
【００２９】
従って、第６の実施の形態によれば、第３及び第４の実施の形態で説明した両方の効果を得ることができる。
【００３０】
【実施例】
実施例により本発明の上向流式嫌気処理装置の効果の確認試験を行なった。
図８は、確認試験に使用した試験装置の処理槽部分を示したものであり、図９はその試験結果である。
実施例では、水位調整装置２４の操作により処理水排出路１６から堆積汚泥を落下させた返送直後における処理水排出路１６の処理水中に懸濁する汚泥のＳＳ濃度（懸濁濃度）を、処理水排出路１６の高さよってどのように相違するかを調べた（図９の返送直後）。
【００３１】
比較例としては、水位調整装置２４の操作により処理水排出路１６から堆積汚泥の落下を７０時間行なわなかった場合における処理水排出路１６の処理水中に懸濁する汚泥のＳＳ濃度を調べた（図９の返送無）。
また、返送直後から６０分、９０分経過後における処理水排出路１６の処理水中に懸濁する汚泥のＳＳ濃度を調べた（図９の６０分後、及び９０分後）。
【００３２】
また、処理水排出路１６の処理水のサンプリングは、図８に示すように、バルブ付きサンプリング用配管７０、７０…を、処理槽１２の底面からの槽高が２９０ｃｍ、３２０ｃｍ、３４０ｃｍ位置にそれぞれ設けると共に、底面から４０６ｃｍのトラフ３０越流位置からも処理水をサンプリングした。また、図示しなかったが処理水排出路１６の下方位置である槽高が２３０ｃｍの位置にもバルブ付きサンプリング用配管を設けた。
【００３３】
図９の○─○は、実施例の結果を示したものであり、●─●は、比較例の結果を示したものである。点線は、６０分後、及び９０分後の結果である。●及び○はバルブ付きサンプリング用配管７０の高さ位置を示す。
図９の結果から分かるように、堆積汚泥の落下直後の実施例の場合、処理水排出路１６の処理水中に懸濁する汚泥のＳＳ濃度は、槽高さが４０６〜３２０ｃｍおいて略ゼロであった。このことは、処理水排出路１６の上端からトラフ３０に越流する処理水に同伴される汚泥は略ゼロであることを示している。また、処理水排出路１６の下端位置である槽高さ２９０ｃｍでは、処理水に懸濁する汚泥のＳＳ濃度は約１８０００ｍｇ／ｌであり、槽高が２３０ｃｍでのＳＳ濃度と同等であった。
【００３４】
一方、堆積汚泥の落下を７０時間行わなかった比較例の場合、処理水排出路の処理水のトラフへの越流する槽高４０６ｃｍでもＳＳ濃度が約３０００ｍｇ／ｌと大きかった。このことは、堆積汚泥の界面がトラフへの越流位置まで上昇していることを示し、処理水排出路１６の上端からトラフ３０に越流する処理水に多量の汚泥が同伴して流出することを意味している。更に、槽高が３２０〜３４０ｃｍではＳＳ濃度が約３００００ｍｇ／ｌとなり極めて高い濃度まで上昇していた。
【００３５】
また、点線で示した返送直後６０分後、及び９０分後の結果から、堆積汚泥の界面が短時間で上昇していることが分かると共に、ＳＳ濃度自体も増加していることが分かった。
【００３６】
【発明の効果】
以上説明したように、本発明の上向流式嫌気処理装置によれば、処理水排出路に汚泥が堆積されたら、処理槽で発生するガスの圧力を利用した水位調整手段により処理水排出路の水位を下げ、この水位を下げる時の水位下降力により堆積した汚泥を前記処理水排出路の下端から前記生物汚泥床に沈降させるようにした。
【００３７】
これにより、生物汚泥床から上向流に同伴して処理水排出路に堆積される一部の汚泥を、確実に生物汚泥床に戻すことができる。
従って、処理槽から排出される処理水の水質を向上させることができると共に、生物汚泥床の汚泥が減少しないので、処理性能を高く維持することができる。
【図面の簡単な説明】
【図１】本発明の上向流式嫌気処理装置の第１の実施の形態を説明する縦断面図
【図２】本発明の上向流式嫌気処理装置の第２の実施の形態を説明する縦断面図
【図３】本発明の上向流式嫌気処理装置の第３の実施の形態を説明する縦断面図
【図４】本発明の上向流式嫌気処理装置の第４の実施の形態を説明する縦断面図
【図５】本発明の上向流式嫌気処理装置の第４の実施の形態の変形例を説明する縦断面図
【図６】本発明の上向流式嫌気処理装置の第５の実施の形態を説明する縦断面図
【図７】本発明の上向流式嫌気処理装置の第６の実施の形態を説明する縦断面図
【図８】本発明の上向流式嫌気処理装置の試験装置を説明する説明図
【図９】本発明の上向流式嫌気処理装置の実施例と比較例を説明する説明図
【符号の説明】
１０…上向流式嫌気処理装置
１２…処理槽
１６…処理水排出路
１８…ガス捕集部の空間
２０…ガス捕集部
２２…区画部材
２４…水位調整装置
２６…原水供給管
２８…原水供給ポンプ
３０…トラフ
３４…水槽
３６…第１の連通管
３８…第２の連通管
４０、４２、４７…開閉弁
４４…衝突板
４６…濾材層
４８…第３の連通管
５０…スカム捕集器
５６…処理水排出路の空間
６２…送気管
７０…バルブ付きサンプリング配管
【図１】
0003702588.tif 000002
【図２】
0003702588.tif 000003
【図３】
0003702588.tif 000004
【図４】
0003702588.tif 000005
【図５】
0003702588.tif 000006
【図６】
0003702588.tif 000007
【図７】
0003702588.tif 000008
【図８】
0003702588.tif 000009
【図９】
0003702588.tif 000010